(57)【要約】【課題】所定数のエレメント１とエレメントの両側の溝部に嵌合してこれらエレメントを結束する一対のリング部材とで構成される無段変速機用ベルトの組立工程で、一方のリング部材６に所定数のエレメント１を周方向に配列して成るサブアッセンブリを能率良く組立てられるようにする。【解決手段】起立姿勢のエレメント１を上側の溝部において摺動自在に吊持するハンガーレール１５により、水平姿勢で支持されるリング部材６の一部分の直上位置に向けて所定数のエレメント１を接線方向に押送し、各エレメント１の下側の溝部がリング部材６に嵌合するように、ハンガーレール１５の先端から各エレメント１を順にリング部材６に向けて落とし込む。リング部材６を略一周した先頭のエレメント１がハンガーレール１５の下方空間を通って、該レール１５に干渉することなく最後尾のエレメント１に隣接する位置まで進行する。【選択図】図６
2005054877.tif 000002
【特許請求の範囲】
【請求項１】
無段変速機のプーリに接触するボデー部と、ボデー部にネック部を介して連設されるヘッド部と、ボデー部とヘッド部との間にネック部の両側に位置して形成される、ネック部に接する内端部の溝幅を拡幅した略Ｔ字状の一対の溝部とを有する所定数の板状のエレメントの両溝部に一対のリング部材を嵌合することにより、これらエレメントをリング部材の周方向に配列した状態で結束して成る無段変速機用ベルトの組立工程で、所定数のエレメントの夫々の一方の溝部を一方のリング部材に嵌合させて、該リング部材の周方向にこれらエレメントを配列して成るサブアッセンブリを組立てる方法であって、
一方のリング部材を水平姿勢に支持し、該リング部材の一部分の直上位置に向けて該リング部材の略接線方向に延在するガイド部材に、所定数のエレメントを、両溝部の一方が下側、他方が上側になるような起立姿勢で摺動自在に支持し、これらエレメントをガイド部材に沿って一方のリング部材の一部分の直上位置に向けて押送して、各エレメントの下側の溝部が一方のリング部材に嵌合するように、ガイド部材の先端から各エレメントを順に一方のリング部材に向けて落とし込むことにより、一方のリング部材の周方向にこれらエレメントを配列させるものにおいて、
前記ガイド部材として、エレメントの上側の溝部の内端の拡幅部に係合する下端の拡幅部を有する断面略逆Ｔ字状のハンガーレールを用い、このハンガーレールにエレメントを上側の溝部において摺動自在に吊持させると共に、一方のリング部材に落とし込まれたエレメントが該リング部材の前記一部分から略一周したときにハンガーレールの下方空間に潜り込むようにしたことを特徴とする無段変速機用ベルトのサブアッセンブリの組立方法。
【請求項２】
無段変速機のプーリに接触するボデー部と、ボデー部にネック部を介して連設されるヘッド部と、ボデー部とヘッド部との間にネック部の両側に位置して形成される、ネック部に接する内端部の溝幅を拡幅した略Ｔ字状の一対の溝部とを有する所定数の板状のエレメントの両溝部に一対のリング部材を嵌合することにより、これらエレメントをリング部材の周方向に配列した状態で結束して成る無段変速機用ベルトの組立工程で、所定数のエレメントの夫々の一方の溝部を一方のリング部材に嵌合させて、該リング部材の周方向にこれらエレメントを配列して成るサブアッセンブリを組立てるために用いる組立用治具であって、
一方のリング部材を水平姿勢に支持する台座と、台座に支持される一方のリング部材の一部分の直上位置に向けて該リング部材の略接線方向に延在し、所定数のエレメントを、両溝部の一方が下側、他方が上側になるような起立姿勢で摺動自在に保持するガイド部材とを備えるものにおいて、
前記ガイド部材として、エレメントの上側の溝部の内端の拡幅部に係合する下端の拡幅部を有する断面略逆Ｔ字状を成し、エレメントを上側の溝部において摺動自在に吊持するハンガーレールを用い、ハンガーレールの配置高さを、一方のリング部材の前記一部分から略一周したエレメントがハンガーレールの下方空間に潜り込み可能となる高さに設定することを特徴とする無段変速機用ベルトのサブアッセンブリの組立用治具。
【請求項３】
前記ハンガーレールの先端側の部分を一方のリング部材の上方への投影形状に合致するように湾曲させると共に、下方に傾斜させ、エレメントがハンガーレールの先端から離脱する前に、エレメントのボデー部が一方のリング部材の内周面に接する位置までエレメントが下降されるようにしたことを特徴とする請求項２に記載の無段変速機用ベルトのサブアッセンブリの組立用治具。
【請求項４】
前記台座に、一方のリング部材の上縁とエレメントの下側の溝部の内端との間に隙間が空いている状態でエレメントのボデー部の下端が当接するエレメント用ガイド部を一方のリング部材の内周に沿うように設けると共に、エレメントが一方のリング部材の前記一部分から略一周して前記ハンガーレールの下方空間に潜り込む部分では、エレメント用ガイド部の高さを低くして、エレメントの下側の溝部の内端が一方のリング部材の上縁に当接するようにしたことを特徴とする請求項２または３に記載の無段変速機用ベルトのサブアッセンブリの組立用治具。
【請求項５】
前記台座を、前記ハンガーレールに対し水平方向に相対移動自在に設けることを特徴とする請求項２〜４の何れか１項に記載の無段変速機用ベルトのサブアッセンブリの組立用治具。
【発明の詳細な説明】
【技術分野】
【０００１】
本発明は、所定数の板状のエレメントと一対のリング部材とで構成される無段変速機用ベルトの組立工程で、これらエレメントを一方のリング部材の周方向に配列して成るサブアッセンブリを組立てるための方法およびこの方法の実施に使用する組立用治具に関する。
【背景技術】
【０００２】
図１(ａ)を参照して、無段変速機用ベルトのエレメント１は、無段変速機のプーリに接触するボデー部２と、ボデー部２にネック部３を介して連設される略三角形状のヘッド部４と、ボデー部２とヘッド部４との間にネック部３の両側に位置して形成される一対の溝部５，５とを有する。そして、所定数のエレメント１の両溝部５，５に、図１(ｂ)に示す如く、金属製の肉薄リングを複数積層して成る一対のリング部材６，６を嵌合することにより、これらエレメント１をリング部材６の周方向に配列した状態で結束して無段変速機用ベルトＡが組立てられる。尚、ヘッド部４には、半抜き加工により片面の突起４ａと反対面の凹孔４ｂ(図１(ａ)に破線で示す)とが形成され、各エレメント１の突起４ａが隣接するエレメント１の凹孔４ｂに係合して、エレメント同士が整列されるようにしている。
【０００３】
無段変速機用ベルトＡの組立工程では、先ず、所定数のエレメント１の夫々の一方の溝部５を一方のリング部材６に嵌合させて、該リング部材６の周方向にこれらエレメント１を配列して成るベルトの半組立体を組立て、次に、これらエレメント１の他方の溝部５に他方のリング部材６を嵌合させる。
【０００４】
従来、サブアッセンブリの組立方法として、一方のリング部材を水平姿勢に支持し、該リング部材の一部分の直上位置に向けて該リング部材の略接線方向に延在するガイド部材に、所定数のエレメントを、両溝部の一方が下側、他方が上側になるような起立姿勢で摺動自在に支持し、これらエレメントをガイド部材に沿って一方のリング部材の一部分の直上位置に向けて押送して、各エレメントの下側の溝部が一方のリング部材に嵌合するように、ガイド部材の先端から各エレメントを順に一方のリング部材に向けて落とし込むことにより、一方のリング部材の周方向にこれらエレメントを配列させる方法が知られている(例えば、特許文献１参照。)。
【０００５】
ここで、上記従来例では、ガイド部材として、エレメントの下側の溝部に嵌合するガイドレールを用いている。この場合、ガイドレールは、リング部材の前記一部分のエレメント押送方向と逆方向に隣接する部分の外周面に近接対向するように配置される。そのため、リング部材に落とし込まれたエレメントがリング部材を周回して前記一部分の手前の位置に達すると、エレメントがガイドレールに干渉してそれ以上進行できなくなる。そこで、従来例では、先頭のエレメントがガイドレールに干渉する位置に到達したところで、エレメントの押送を停止し、先頭のエレメントが進行不能となったリング部材の部分に残りのエレメントを手作業で組み付けている。
【特許文献１】特開２００２−２３３９２０号公報
【発明の開示】
【発明が解決しようとする課題】
【０００６】
従来例の方法では、上記の如く一部のエレメントを手作業でリング部材に組み付けざるを得す、作業能率の向上を図る上で問題になっている。
【０００７】
本発明は、以上の点に鑑み、ベルトを構成する所定数のエレメントの全てをガイド部材からの落とし込みでリング部材に組み付けられるようにし、手作業でのエレメントの組み付けを不要とした無段変速機用ベルトのサブアッセンブリの組立方法および組立用治具を提供することをその課題としている。
【課題を解決するための手段】
【０００８】
上記課題を解決するため、無段変速機のプーリに接触するボデー部と、ボデー部にネック部を介して連設されるヘッド部と、ボデー部とヘッド部との間にネック部の両側に位置して形成される、ネック部に接する内端部の溝幅を拡幅した略Ｔ字状の一対の溝部とを有する所定数の板状のエレメントの両溝部に一対のリング部材を嵌合することにより、これらエレメントをリング部材の周方向に配列した状態で結束して成る無段変速機用ベルトの組立工程で、所定数のエレメントの夫々の一方の溝部を一方のリング部材に嵌合させて、該リング部材の周方向にこれらエレメントを配列して成るサブアッセンブリを組立てる方法であって、一方のリング部材を水平姿勢に支持し、該リング部材の一部分の直上位置に向けて該リング部材の略接線方向に延在するガイド部材に、所定数のエレメントを、両溝部の一方が下側、他方が上側になるような起立姿勢で摺動自在に支持し、これらエレメントをガイド部材に沿って一方のリング部材の一部分の直上位置に向けて一列縦隊で押送して、各エレメントの下側の溝部が一方のリング部材に嵌合するように、ガイド部材の先端から各エレメントを順に一方のリング部材に向けて落とし込むことにより、一方のリング部材の周方向にこれらエレメントを配列させるものにおいて、本発明によれば、前記ガイド部材として、エレメントの上側の溝部の内端の拡幅部に係合する下端の拡幅部を有する断面略逆Ｔ字状のハンガーレールを用い、このハンガーレールにエレメントを上側の溝部において摺動自在に吊持させると共に、一方のリング部材に落とし込まれたエレメントが該リング部材の前記一部分から略一周したときにハンガーレールの下方空間に潜り込むようにしている。
【０００９】
また、本発明の組立用治具は、一方のリング部材を水平姿勢に支持する台座と、ガイド部材としての上記ハンガーレールとを備え、ハンガーレールの配置高さを、一方のリング部材の前記一部分から略一周したエレメントがハンガーレールの下方空間に潜り込み可能となる高さに設定している。
【００１０】
本発明では、リング部材に落とし込まれて前記一部分から略一周したエレメントがハンガーレールの下方空間に潜り込み、ハンガーレールに干渉することなく前記一部分まで進行可能となる。従って、所定数のエレメントを全てハンガーレールから落とし込んでリング部材に組み付けることができ、手作業でのエレメントの組み付けが不要になり、作業能率が向上する。
【００１１】
また、本発明の組立用治具において、ハンガーレールの先端側の部分を一方のリング部材の上方への投影形状に合致するように湾曲させると共に、下方に傾斜させ、エレメントがハンガーレールの先端から離脱する前に、エレメントのボデー部が一方のリング部材の内周面に接する位置までエレメントが下降されるようにすれば、ハンガーレールから離脱したエレメントがリング部材に案内されて下降して、その下側の溝部にリング部材が確実に嵌合する。尚、ハンガーレールを、その先端がリング部材の一箇所の直上部に合致するように、先端側の部分に亘って接線方向に真直に形成すると、先端側部分を下方に傾斜させても、エレメントの下降途中でボデー部の下端がリング部材の上縁に当接してしまい、下側の溝部をリング部材にうまく嵌合できなくなる。ハンガーレールの先端側部分を上記の如く湾曲させることで、かかる不具合を回避できる。
【００１２】
また、台座に、一方のリング部材の上縁とエレメントの下側の溝部の内端との間に隙間が空いている状態でエレメントのボデー部の下端が当接するエレメント用ガイド部を一方のリング部材の内周に沿うように設けておけば、エレメントとリング部材との間の摩擦を低減して、エレメントをリング部材の周方向にスムーズに進行させることができる。この場合、エレメントが一方のリング部材の前記一部分から略一周してハンガーレールの下方空間に潜り込む部分では、エレメント用ガイド部の高さを低くして、エレメントの下側の溝部の内端が一方のリング部材の上縁に当接するようにする。これによれば、ハンガーレールの配置高さを左程高くしなくても、ハンガーレールへのエレメントの干渉を回避できる。
【００１３】
また、台座を、ハンガーレールに対し水平方向に相対移動自在に設ければ、ハンガーレールからのエレメントの落とし込みでリング部材の周方向に所定数のエレメントを配列したサブアッセンブリを組立てた後、台座を移動させて、サブアッセンブリを台座からハンガーレールに邪魔されることなく簡単に取り上げることができ、有利である。
【発明を実施するための最良の形態】
【００１４】
図２、図３は、図１に示した無段変速機用ベルトＡのサブアッセンブリを組立てるのに使用する組立用治具１０を示している。この治具１０は、ベース板１１上に設けた台座１２を備えている。台座１２は、円形であり、外周に上下２段の段部を有する。下の段部はリング部材用の受け部１３、上の段部はエレメント用のガイド部１４になっている。そして、無段変速機用ベルトＡの一方のリング部材６の下部を受け部１３とガイド部１４との間の円筒状段差面１３ａに外嵌させた状態で、リング部材６を受け部１３の上面に着座させることにより、リング部材６を水平姿勢で位置決めして支持できるようにしている。更に、ガイド部１４と台座１２の上端面との間の円筒状段差面１４ａとリング部材６との間にエレメント１のボデー部２を受け入れる隙間を確保している。
【００１５】
また、図２の下方を前方として、台座１２に支持されるリング部材６の最前部の直上位置に向けてリング部材６の接線方向たる横方向に延在するハンガーレール１５が設けられている。ハンガーレール１５は、図４に明示する如く、エレメント１の両溝部５，５の一方が下側、他方が上側になるような起立姿勢のエレメント１を上側の溝部５において摺動自在に吊持するものであり、エレメント１が抜け落ちないように、エレメント１の上側の溝部５の内端の拡幅部５ａに係合する下端の拡幅部１５ａを有する断面略逆Ｔ字状に形成されている。
【００１６】
ハンガーレール１５には、図示省略したフィーダ装置からエレメント１の下側の溝部５に係合する搬送レール１６を介して１個のベルトＡを構成する所定数のエレメント１が供給される。搬送レール１６は、ベース板１１に固定されており、また、図５に明示されているように、搬送レール１６の先端部上方にハンガーレール１５の基端部を位置させた状態で、両レール１５，１６をエレメント１の通過を許容するコ字状の連結ブロック１７を介して連結している。そして、搬送レール１６に支持される起立姿勢のエレメント１の上側の溝部５にハンガーレール１５が係合して、搬送レール１６からハンガーレール１５にエレメント１が移載され、所定数のエレメント１がハンガーレール１６に沿ってリング部材６の最前部の直上位置に向けて一列縦隊で押送されるようにしている。図中１７ａは、連結ブロック１７と各レール１５，１６との固定ボルトである。
【００１７】
ハンガーレール１５の先端側の部分１５ｂは、リング部材６の最前部の直上位置を超えて右方にのびており、この先端側部分１５ｂを、リング部材６の上方への投影形状に合致するように湾曲させ、且つ、図６に示す如く、下方に傾斜させている。そして、先端側部分１５ｂの傾斜により、エレメント１がハンガーレール１５の先端から離脱する前に、図４に仮想線で示す如く、エレメント１のボデー部２がリング部材６の内周面に接する位置までエレメント１が下降されるようにしている。
【００１８】
台座１２に形成した前記エレメント用ガイド部１４は、ハンガーレール１５の先端から落とし込まれたエレメント１の下側の溝部５がリング部材６に完全に嵌合する前、即ち、リング部材６の上縁とエレメント１の下側の溝部５の内端(ネック部３)との間に隙間が空いている状態でエレメント１のボデー部２の下端が当接するように形成されている。そのため、下側の溝部５がリング部材６に完全に嵌合した状態に比しエレメント１とリング部材６との間の摩擦が低減され、エレメント１がリング部材６の周方向にスムーズに進行する。
【００１９】
また、リング部材６の最前部のエレメント押送方向と反対側、即ち、左側の部分では所定範囲に亘りガイド部１４の高さを低くし、この低部１４ｂにおいて、エレメント１の下側の溝部５がリング部材６に完全に嵌合する高さ、即ち、下側の溝部５の内端(ネック部３)がリング部材６の上縁に当接する高さまでエレメント１が下降するようにしている。図中１４ｃは、低部１４ｂの形成範囲の両側に形成した、ガイド部１４の一般部との間の傾斜段部である。
【００２０】
サブアッセンブリの組立てに際しては、１個のベルトＡを構成する所定数のエレメント１をハンガーレール１５に沿ってリング部材６の最前部の直上位置に向けて一列縦隊で押送する。これによれば、図６(ａ)に示されているように、ハンガーレール１５の先端からエレメント１が順にリング部材６に向けて落とし込まれ、エレメント１の下側の溝部５がリング部材６に嵌合する。この状態でエレメント１が後続のエレメント１に押されてリング部材６の周方向に進行する。尚、ヘッド部４の突起４ａと凹孔４ｂとでエレメント１同士が係合しているため、ハンガーレール１５の先端から押し出されたエレメント１はボデー部２の下端がガイド部１４に当接するまで徐々に下降する。この際、ハンガーレール１５の先端側部分１５ｂにおいて、エレメント１は、ボデー部２がリング部材６の内周面に接する位置まで下降されているため、ハンガーレール１５の先端から押し出されたエレメント１はリング部材６に案内されて下降して、その下側の溝部５にリング部材６が確実に嵌合する。
【００２１】
また、エレメント１がリング部材６を略一周してハンガーレール１５の配置部の近傍に到達すると、ガイド部１４の低部１４ａに移行し、エレメント１がリング部材６に完全に嵌合する高さまで下降する。そして、エレメント１は、図６(ｂ)に示されているように、ハンガーレール１５の下方空間に潜り込んだ状態で、ハンガーレール１５に干渉することなく進行する。そして、先頭のエレメント１がハンガーレール１５に吊持される最後尾のエレメント１に追従するようにして進行し、最後尾のエレメント１がハンガーレール１５の先端から押し出されたところで、所定数の全てのエレメント１がリング部材６の周方向に配列された状態になり、サブアッセンブリの組立が完了する。
【００２２】
このようにしてサブアッセンブリを組立てると、次に、サブアッセンブリを台座１２から取り上げて別の治具にセットし、エレメント１の上側の溝部５に残りのリング部材６を嵌合させて、無段変速機用ベルトＡを組立てる。この場合、ハンガーレール１５に対し台座１２が不動であると、ハンガーレール１５が邪魔になってサブアッセンブリの取り上げが困難になる。
【００２３】
そこで、台座１２を、ハンガーレール１５に対し水平方向、例えば、ハンガーレール１５の延在方向と直交する前後方向に相対移動自在としている。これを詳述するに、ベース板１１にガイド穴１８を形成すると共に、台座１２の下面に、ガイド穴１８に前後方向に摺動自在に嵌合するガイド板１９を固定し、台座１２を前後方向に摺動自在としている。また、台座１２に、その下面に露出するボールプランジャ２０を取り付け、一方、ベース板１１に、台座１２の前進端位置と後退端位置とでボールプランジャ２０のボール２０ａが係合する前後一対の凹孔２１，２２を形成し、台座１２を前進端位置と後退端位置とに係止できるようにしている。ここで、台座１２の前進端位置では、台座１２に支持されるリング部材６の最前部がハンガーレール１５の先端部の直下に臨み、上記したサブアッセンブリの組立が行われる。そして、サブアッセンブリの組立後、台座１２を後退端位置に移動することにより、ハンガーレール１５に邪魔されることなく、台座１２からサブアッセンブリを取り上げることができる。また、リング部材用の受け部１３に台座１２の左右両側部において切欠き部１３ｂ，１３ｂを形成し、この切欠き部１３ｂにおいてリング部材６に指を掛けることにより、サブアッセンブリを容易に取り上げられるようにしている。
【００２４】
尚、台座１２にサブアッセンブリを支持させたまま、エレメント１の上側の溝部５に残りのリング部材６を嵌合させて無段変速機用ベルトＡを組立てることも可能である。この場合も、台座１２をハンガーレール１５から離れた位置に移動させて、上側の溝部５へのリング部材６の嵌合をハンガーレール１５に邪魔されずに行い得られるようにする。
【００２５】
また、本実施形態では、台座１２をハンガーレール１５に対しハンガーレール１５の延在方向と直交する水平方向たる前後方向に相対移動自在としたが、サブアッセンブリ組立後の作業をハンガーレール１５に邪魔されることなく行うことができれば、台座１２はどの水平方向に相対移動方向自在としても良い。
【図面の簡単な説明】
【００２６】
【図１】(ａ)エレメントの正面図、(ｂ)無段変速機用ベルトの一部分の斜視図。
【図２】本発明の組立用治具の実施形態の平面図。
【図３】図２のＩＩＩ―ＩＩＩ線で切断した組立用治具の切断面図。
【図４】図３のＩＶの領域の拡大図。
【図５】ハンガーレールと搬送レールの連結部分の斜視図。
【図６】(ａ)図２の矢印ＶＩ方向から見たサブアッセンブリの組立初期状態を示す図、サブアッセンブリの組立最終状態を示す図。
【符号の説明】
【００２７】
Ａ…無段変速機用ベルト、１…エレメント、２…ボデー部、３…ネック部、４…ヘッド部、５…溝部、５ａ…溝部内端の拡幅部、６…リング部材、１０…組立用治具、１２…台座、１４…エレメント用ガイド部、１４ｂ…ガイド部の低部、１５…ハンガーレール、１５ａ…拡幅部、１５ｂ…先端側部分
【図１】
2005054877.tif 000003
【図２】
2005054877.tif 000004
【図３】
2005054877.tif 000005
【図４】
2005054877.tif 000006
【図５】
2005054877.tif 000007
【図６】
2005054877.tif 000008